(57)【要約】【課題】レンズバリアの開閉とレンズの退避と行われるレンズ鏡筒において、駆動部材に加わる付加を少なくする。【解決手段】本発明のレンズ鏡筒は、光軸上の位置と光軸から退避した位置との間で光軸に対して垂直移動が可能な垂直移動レンズ（Ｌ３）を少なくとも１以上含み、且つ光軸に沿って移動可能に配置された光学系（Ｌ１，Ｌ２，Ｌ３，Ｌ４）と、光学系（Ｌ１，Ｌ２，Ｌ３，Ｌ４）よりも対物側に配置され、且つ開閉可能なレンズバリア（４４）と、を備え、撮影状態と沈胴状態との間の移行動作に連動して、垂直移動レンズ（Ｌ３）を垂直移動させる第１の連動部（２１）と、レンズバリア（４４）を開閉する第２の連動部（７３）と、を備え、垂直移動レンズ（Ｌ３）の垂直移動とレンズバリア（４４）の開閉とが、移行動作中において異なるタイミングで動作することを特徴とするレンズ鏡筒（１）である。【選択図】図５
2008242396.tif 000002
【特許請求の範囲】
【請求項１】
光軸上の位置と前記光軸から退避した位置との間で前記光軸に対して垂直移動が可能な垂直移動レンズを少なくとも１以上含み、且つ前記光軸に沿って移動可能に配置された光学系と、
前記光学系よりも対物側に配置され且つ開閉可能なレンズバリアと、を備えるレンズ鏡筒であって、
前記レンズ鏡筒の撮影状態と沈胴状態との間の移行動作に連動して、前記垂直移動レンズを垂直移動させる第１の連動部と、前記レンズバリアを開閉する第２の連動部と、を備え、
前記垂直移動レンズの垂直移動と前記レンズバリアの開閉とが、移行動作中において異なるタイミングで動作することを特徴とするレンズ鏡筒。
【請求項２】
請求項１に記載のレンズ鏡筒において、
平面状に展開したときに円周に沿った直線に対して交差する斜面を有する筒体と、
前記斜面に沿って移動する従動部を有する移動部材と、を備え、
前記筒体又は前記移動部材のいずれか一方の回転に伴い、いずれか他方が前記一方に対して前記光軸に沿って移動し、その移動によって前記第１の連動部が前記垂直移動レンズを垂直移動させ、前記第２の連動部が前記レンズバリアを開閉させるようになっており、
前記垂直移動レンズの垂直移動中、又は前記レンズバリアの開閉中に、前記従動部が係合する前記斜面の部分における前記円周に沿った直線と交差する鋭角側の角度が、垂直移動又は開閉の前後の動作における前記角度以下であることを特徴とするレンズ鏡筒。
【請求項３】
請求項１に記載のレンズ鏡筒であって、
平面状に展開したときに円周に沿った直線に対して交差する斜面を有する筒体と、
前記斜面に沿って移動する従動部を有する移動部材と、を備え、
前記筒体又は前記移動部材のいずれか一方の回転に伴い、いずれか他方が前記一方に対して前記光軸に沿って移動し、その移動によって前記第１の連動部が前記垂直移動レンズを垂直移動させ、前記第２の連動部が前記レンズバリアを開閉させるようになっており、
前記垂直移動レンズの前記光軸からの退避動作完了、又は前記レンズバリアの閉動作完了後は、前記従動部が係合する前記斜面の部分における前記円周に沿った直線と交差する鋭角側の角度が、退避動作中又は閉動作中における前記角度以下であることを特徴とするレンズ鏡筒。
【請求項４】
請求項２又は３に記載のレンズ鏡筒であって、前記斜面及び前記従動部がヘリコイドを構成していることを特徴とするレンズ鏡筒。
【請求項５】
請求項２又は３に記載のレンズ鏡筒であって、前記斜面がカムで、前記従動部がカムフォロアであることを特徴とするレンズ鏡筒。
【請求項６】
請求項１〜５のいずれか１項に記載のレンズ鏡筒であって、
前記第１の連動部は前記レンズ鏡筒における固定部材に設けられ、
前記垂直移動レンズは前記垂直移動レンズを前記光軸に対して退避可能に保持する垂直移動レンズ保持枠に設けられ、
沈胴時に前記垂直移動レンズ保持枠が前記固定部材と近づく方向に移動し、前記第１の連動部が前記垂直移動レンズを前記光軸から退避するように押し上げることを特徴とするレンズ鏡筒。
【請求項７】
請求項６に記載のレンズ鏡筒であって、
前記垂直移動レンズが前記光軸から退避した後は、
前記固定部材と前記垂直移動レンズ保持枠との距離は沈胴動作が終了するまで一定であるか又は沈胴動作中減少することを特徴とするレンズ鏡筒。
【請求項８】
請求項１〜７のいずれか１項に記載のレンズ鏡筒であって、
前記第２の連動部の一部は前記垂直移動レンズを前記光軸に対して退避可能に保持する垂直移動レンズ保持枠に設けられ、
前記レンズバリアはレンズバリア保持枠に設けられ、
沈胴時に前記レンズバリア保持枠と前記垂直移動レンズ保持枠とが互いに近づく方向に移動し、前記第２の連動部が前記レンズバリアと当接して前記レンズバリアを閉じることを特徴とするレンズ鏡筒。
【請求項９】
請求項８に記載のレンズ鏡筒であって、
前記レンズバリアが閉じた後は、
前記垂直移動レンズ保持枠と前記レンズバリア保持枠との距離は沈胴動作が終了するまで一定であるか又は沈胴動作中減少することを特徴とするレンズ鏡筒。
【請求項１０】
請求項１〜９のいずれか１項に記載のレンズ鏡筒を備えるカメラ。
【発明の詳細な説明】
【技術分野】
【０００１】
本発明は、レンズバリアと光軸から退避可能な垂直移動レンズとを有するレンズ鏡筒及びカメラに関するものである。
【背景技術】
【０００２】
従来、レンズ鏡筒の撮影状態と沈胴状態との間の移行動作に連動して、レンズバリアを開閉するレンズ鏡筒が提案されている（例えば、特許文献１参照）。
【特許文献１】特開２００１−２１５５６２号公報
【発明の開示】
【発明が解決しようとする課題】
【０００３】
しかし、近年、カメラの小型化に伴い、レンズ鏡筒も小型化がされ、光軸上の位置から退避可能なレンズを含むレンズ鏡筒が開発されている。このようなレンズ鏡筒において、レンズバリアの開閉と上記レンズの退避とが同時に行われると、駆動部材に加わる負荷が大きくなる。
【０００４】
本発明の課題は、レンズバリアの開閉とレンズの退避とが行われるレンズ鏡筒において、駆動部材に加わる付加を少なくすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光軸（Ａ）上の位置と前記光軸（Ａ）から退避した位置との間で前記光軸（Ａ）に対して垂直移動が可能な垂直移動レンズ（Ｌ３）を少なくとも１以上含み、且つ前記光軸（Ａ）に沿って移動可能に配置された光学系（Ｌ１，Ｌ２，Ｌ３，Ｌ４）と、前記光学系（Ｌ１，Ｌ２，Ｌ３，Ｌ４）よりも対物側に配置され、且つ開閉可能なレンズバリア（４４）と、を備えるレンズ鏡筒（１）であって、前記レンズ鏡筒（１）の撮影状態と沈胴状態との間の移行動作に連動して、前記垂直移動レンズ（Ｌ３）を垂直移動させる第１の連動部（２１）と、前記レンズバリア（４４）を開閉する第２の連動部（７３）と、を備え、前記垂直移動レンズ（Ｌ３）の垂直移動と前記レンズバリア（４４）の開閉とが、移行動作中において異なるタイミングで動作することを特徴とするレンズ鏡筒（１）である。
請求項２に記載の発明は、請求項１に記載のレンズ鏡筒（１）であって、平面状に展開したときに円周に沿った直線に対して交差する斜面（３０ａ，４１ｂ，４２ｂ，４２ｃ，４２ｄ）を有する筒体（３０，４１，４２）と、前記斜面（３０ａ，４１ｂ，４２ｂ，４２ｃ，４２ｄ）に沿って移動する従動部（４１ａ，４２ａ，５０ａ，６０ａ，７０ａ）を有する移動部材（４１，４２，４３，６０，７０）とを備え、前記筒体（３０，４２）又は前記移動部材（４１，４２，４３，６０，７０）のいずれか一方の回転に伴い、いずれか他方が前記一方に対して前記光軸に沿って移動し、その移動によって前記第１の連動部（２１）が前記垂直移動レンズ（Ｌ３）を垂直移動させ、前記第２の連動部（７３）が前記レンズバリア（４４）を開閉させるようになっており、前記垂直移動レンズ（Ｌ３）の垂直移動中、又は前記レンズバリア（４４）の開閉中に、前記従動部（４１ａ，４２ａ，５０ａ，６０ａ，７０ａ）が係合する前記斜面（３０ａ，４１ｂ，４２ｂ，４２ｃ，４２ｄ）の部分における前記円周に沿った直線と交差する鋭角側の角度が、垂直移動又は開閉の前後における前記角度以下であることを特徴とするレンズ鏡筒（１）である。
請求項３に記載の発明は、請求項１に記載のレンズ鏡筒（１）であって、平面状に展開したときに円周に沿った直線に対して交差する斜面（３０ａ，４１ｂ，４２ｂ，４２ｃ，４２ｄ）を有する筒体（３０，４１，４２）と、前記斜面（３０ａ，４１ｂ，４２ｂ，４２ｃ，４２ｄ）に沿って移動する従動部（４１ａ，４２ａ，５０ａ，６０ａ，７０ａ）を有する移動部材（４１，４２，４３，６０，７０）とを備え、前記筒体（３０，４２）又は前記移動部材（４１，４２，４３，６０，７０）のいずれか一方の回転に伴い、いずれか他方が前記一方に対して前記光軸に沿って移動し、その移動によって前記第１の連動部（２１）が前記垂直移動レンズ（Ｌ３）を垂直移動させ、前記第２の連動部（７３）が前記レンズバリア（４４）を開閉させるようになっており、前記垂直移動レンズ（Ｌ３）の前記光軸からの退避動作完了、又は前記レンズバリア（４４）の閉動作完了後は、前記従動部（４１ａ，４２ａ，５０ａ，６０ａ，７０ａ）が係合する前記斜面（３０ａ，４１ｂ，４２ｂ，４２ｃ，４２ｄ）の部分における前記円周に沿った直線と交差する鋭角側の角度が、退避動作中又は閉動作中における前記角度以下であることを特徴とするレンズ鏡筒（１）である。
請求項４に記載の発明は、請求項２又は３に記載のレンズ鏡筒（１）であって、前記斜面（３０ａ）及び前記従動部（４１ａ）がヘリコイドを構成していることを特徴とするレンズ鏡筒（１）である。
請求項５に記載の発明は、請求項２又は３に記載のレンズ鏡筒（１）であって、前記斜面（４２ｂ，４２ｃ，４２ｄ）がカムで、前記従動部（４２ａ，５０ａ，６０ａ，７０ａ）がカムフォロアであることを特徴とするレンズ鏡筒（１）である。
請求項６に記載の発明は、請求項１〜５のいずれか１項に記載のレンズ鏡筒（１）であって、前記第１の連動部（２１）は前記レンズ鏡筒（１）における固定部材（２０）に設けられ、前記垂直移動レンズ（Ｌ３）は前記垂直移動レンズ（Ｌ３）を前記光軸に対して退避可能に保持する垂直移動レンズ保持枠（７０）に設けられ、沈胴時に前記垂直移動レンズ保持枠（７０）が前記固定部材（２０）と近づく方向に移動し、前記第１の連動部（２１）が前記垂直移動レンズ（Ｌ３）を前記光軸から退避するように押し上げることを特徴とするレンズ鏡筒（１）である。
請求項７に記載の発明は、請求項６に記載のレンズ鏡筒（１）であって、前記垂直移動レンズ（Ｌ３）が前記光軸から退避した後は、前記固定部材（２０）と前記垂直移動レンズ保持枠（７０）との距離は沈胴動作が終了するまで一定であるか又は沈胴動作中減少することを特徴とするレンズ鏡筒（１）である。
請求項８に記載の発明は、請求項１〜７のいずれか１項に記載のレンズ鏡筒（１）であって、前記第２の連動部（７３）は前記垂直移動レンズ（Ｌ３）を前記光軸に対して退避可能に保持する垂直移動レンズ保持枠（７０）に設けられ、前記レンズバリア（４４）はレンズバリア保持枠（４５）に設けられ、沈胴時に前記レンズバリア保持枠（４５）と前記垂直移動レンズ保持枠（７０）とが互いに近づく方向に移動し、前記第２の連動部（７３）が前記レンズバリア（４４）と当接して前記レンズバリア（４４）を閉じることを特徴とするレンズ鏡筒（１）である。
請求項９に記載の発明は、請求項８に記載のレンズ鏡筒（１）であって、前記レンズバリア（４４）が閉じた後は、前記垂直移動レンズ保持枠（７０）と前記レンズバリア保持枠（４５）との距離は沈胴動作が終了するまで一定であるか又は沈胴動作中減少することを特徴とするレンズ鏡筒（１）である。
請求項１０に記載の発明は、請求項１〜９のいずれか１項に記載のレンズ鏡筒（１）を備えるカメラである。
なお、符号を付して説明した構成は、適宜改良してもよく、また、少なくとも一部を他の構成物に代替してもよい。
【発明の効果】
【０００７】
本発明によれば、レンズバリアの開閉とレンズの退避とが行われるレンズ鏡筒において、駆動部材に加わる付加を少なくすることができる。
【発明を実施するための最良の形態】
【０００８】
以下、図面等を参照して、本発明の実施形態について説明する。なお、以下に示す各図には、説明と理解を容易にするために、ｘｙｚ直交座標系を設けた。この座標系では、撮影者が通常の状態でカメラを保持したときのカメラの位置（以下、正位置という）において撮影者から見て右側に向かう方向をｘプラス方向とする。また、正位置において上側に向かう方向をｙプラス方向とする。更に、正位置において被写体に向かう方向をｚプラス方向とする。
【０００９】
本実施形態のレンズ鏡筒１は、撮影時と非撮影時とで光軸方向の全長が変化する沈胴式のレンズ鏡筒である。レンズ鏡筒１は、撮影状態において図示しないカメラボディからその一部が繰り出され、非撮影時においてその略全体がカメラボディに収容されて沈胴状態となるものである。
【００１０】
図１は、本実施形態のレンズ鏡筒１の撮影状態を示す断面図、図２は本実施形態のレンズ鏡筒１の沈胴状態を示す断面図である。なお、各図において光軸Ａに沿った被写体側に向かう方向をｚプラス方向とする。
【００１１】
レンズ鏡筒１は、４群構成のズームレンズを形成する第１レンズ群Ｌ１、第２レンズ群Ｌ２、第３レンズ群Ｌ３及び第４レンズ群Ｌ４と、レンズ鏡筒１の像側端部に設けられると共に、カメラの本体に固定されたＣＣＤ（ｃｈａｒｇｅ−ｃｏｕｐｌｅｄ  ｄｅｖｉｃｅ）台２０と、ＣＣＤ台２０に固定された固定筒３０と、固定筒３０から被写体側に繰り出すことのできる移動筒４０（４１，４２，４３）と、を備える。また、レンズ鏡筒１は、更に、上述の第１レンズ群Ｌ１を保持する第１保持部５０と、第２レンズ群Ｌ２を保持する第２保持部６０と、第３レンズ群Ｌ３を保持する第３保持部７０と、第４レンズ群を保持する第４保持部８０と、を備えている。
【００１２】
第１レンズ群Ｌ１、第２レンズ群Ｌ２、第３レンズ群Ｌ３及び第４レンズ群Ｌ４は、上述のように４群構成のズームレンズを形成するものである。そして、図１の撮影状態におけるレンズ群Ｌ１〜Ｌ４が繰り出した状態において、光軸Ａ方向の被写体側から像側に向かい、第１レンズ群Ｌ１、第２レンズ群Ｌ２、第３レンズ群Ｌ３及び第４レンズ群Ｌ４の順番で配置されている。
【００１３】
レンズ鏡筒１の像側端部に配置されるＣＣＤ台２０は、略中央部にＣＣＤ１０を保持する略円板状の部材である。ＣＣＤ１０は、上記レンズ群Ｌ１〜Ｌ４を通過した被写体光を電気信号に変換する光−電気変換素子である。ＣＣＤ１０は、第４レンズ群Ｌ４の出射側に配置され、このＣＣＤ１０と第４レンズ群Ｌ４との間には、モアレを低減するためのＬＰＦ（ｌｏｗ  ｐａｓｓ  ｆｉｌｔｅｒ）１１が設けられている。また、ＣＣＤ台２０は更に、被写体側に突き出すＣＣＤ台突起部２１を備えている。なお、このＣＣＤ台突起部２１については後に詳述する。
【００１４】
固定筒３０は、像側の端部がＣＣＤ台２０に固定された筒体である。図３は、固定筒３０の内面を展開して示した図であり、図示するように固定筒３０の内面には、メスヘリコイド３０ａが設けられている。
【００１５】
移動筒４０は、固定筒３０から繰り出し可能な第１の移動筒４１、第２の移動筒４２及び第３の移動筒４３を有している。第１の移動筒４１は、固定筒３０の内径側に収納された筒体であり、図示しないアクチュエータによって回転力を得て固定筒３０に対して光軸方向に駆動され、外面に設けられたオスヘリコイド４１ａと上述の固定筒３０の内面に設けられたメスヘリコイド３０ａとの関係により移動量が決められている。図４は、第１の
移動筒４１の内面を展開して示した図であり、第１の移動筒４１の内面には、第１移動筒カム４１ｂが設けられている。
【００１６】
第２の移動筒４２は、第１の移動筒４１の内径側に収容された筒体であり、第１の移動筒４１に対して光軸方向に進退動作が可能となっている。外面には第１移動筒カム４１ｂと係合するカムフォロア４２ａが設けられ、上述の第１の移動筒４１の第１移動筒カム４１ｂに沿って移動することで第２の移動筒４２のとの関係により移動量が決められる。図５は、第２の移動筒４２の内面を展開して示した図であり、第２の移動筒４２の内面には、第３保持部７０に設けられたカムフォロア７０ａが係合する第２移動筒カム４２ｂと、第２保持部６０に設けられたカムフォロア６０ａが係合する第２移動筒カム４２ｃと、第１保持部５０に設けられたカムフォロア５０ａが係合する第２移動筒カム４２ｄとの３つのカムが設けられている。
【００１７】
第３の移動筒４３は、第２の移動筒４２の内径側に収容された筒体であり、第２の移動筒４２に対して光軸方向に進退動作が可能となっている。この第３の移動筒４３は、非撮影時に第１レンズ群Ｌ１の入射面を保護するレンズバリアユニット４４を光軸方向被写体側の端部に備えている。
【００１８】
第１保持部５０は、第１レンズ群Ｌ１をその内径側に保持する円環状の枠体であり、レンズバリアユニット４４よりも像側（ｚマイナス側）に設けられている。また第２保持部６０は、第２レンズ群Ｌ２を支持する部分であり、第３の移動筒４３の内径側に挿入されている。第２保持部６０は、公知の像ブレ補正制御に応じて第２レンズ群Ｌ２を光軸Ａに直交する面内で駆動し、ＣＣＤ１０の撮像面に結像される像の像ブレを低減する像ブレ補正装置６１を備えている。第４保持部８０は、第４レンズ群Ｌ４を保持する枠体である。この第４保持部８０は、図示しない駆動機構によって光軸方向に駆動され、ＡＦ（オートフォーカス）動作が行われる。
【００１９】
図６は、ＣＣＤ台２０、第３保持部７０、及びレンズバリアユニット４４の一部であるバリアリング４６の分解斜視図である。また、図７は第３保持部７０を被写体側から見た図であり、（ａ）は第３レンズ群Ｌ３が撮影位置にある場合、（ｂ）は第３レンズ群Ｌ３が退避位置にある場合を示した図である。なお、本明細書において、第３レンズ群Ｌ３の退避位置とは、第３レンズ群Ｌ３の光軸が、他のレンズ群Ｌ１、Ｌ２、Ｌ４の光軸と重ならない状態の第３レンズ群Ｌ３の位置をいうものとする。
【００２０】
第３保持部７０は、第３レンズ群Ｌ３を支持する部分であり、基部７１と第３レンズ群保持枠７２とを備えている。基部７１は、第３保持部７０のベースとなる略円盤状の部材である。基部７１は、その外周回りに、略等しい間隔で例えば３つのカムフォロワ装着部７０ｂと、被写体側に突き出した２箇所の３群突起部７３と、を備えている。カムフォロワ装着部７０ｂにはカムフォロア７０ａが取り付けられ、カムフォロア７０ａは、図１に示すように第２の移動筒４２の第２移動筒カム４２ｂに挿入されている。そして第２移動筒カム４２ｂの回転により基部７１は、光軸方向に進退動作を行うようになっている。なお、この場合第３保持部７０は回転しない。また、３群突起部７３の動作については後に詳述する。
【００２１】
第３レンズ群保持枠７２は、第３レンズ群Ｌ３をその内径側に保持する円環状の枠体７２ａと、この枠体７２ａから外径側に突き出して形成されたアーム部７２ｂとを備えている。このアーム部７２ｂの先端部には、円筒形状に形成された軸受部７２ｃが設けられている。この軸受部７２ｃは、その内径側にピンＰが貫通しており、基部７１に対して回転可能に軸支されている。
【００２２】
また、第３レンズ群保持枠７２におけるアーム部７２ｂの先端部近傍には、図６に示すＣＣＤ台２０に設けられたＣＣＤ台突起部２１と当接可能な当接部７２ｄが設けられている。図８は撮影状態から沈胴状態への移行時における、この当接部７２ｄとＣＣＤ台突起部２１との摺動状態を示した図である。図示するように、ＣＣＤ台突起部２１に対して当接部７２ｄが位置Ａから近づき、第１の移動筒４１がワイドの位置から角度α１だけ回転した位置Ｂにくると、ＣＣＤ台突起部２１のカム面２１ａに当接部７２ｄが当接する。その後、当接部７２ｄはカム面２１ａを滑り、図７に示すように、第３レンズ群保持枠７２がピンＰ回りに回転し、第３レンズ群Ｌ３は撮影位置から退避位置に移動する。第１の移動筒４１がワイドの位置から角度α２(＞α１)だけ回転すると、当接部７２ｄは位置Ｃに到達し、退避動作は完了する。更にレンズ鏡筒１が沈胴状態へと移動を続けると、当接部７２ｄはＣＣＤ台突起部２１の側面を滑り、図８における位置Ｄへと進む。
【００２３】
図９はレンズバリアユニット４４を像側から見た図である。図示するようにレンズバリアユニット４４は、円環状のバリアベース４５と、そのバリアベース４５に対して回転可能なバリアリング４６と、バリアベース４５に回転可能に支持された内羽根４７ａ及び外羽根４７ｂとを備える。バリアリング４６には溝４６ｂが設けられ、この溝４６ｂに沿って内羽根４７ａの移動軸４９ｂが固定軸４９ａを中心として移動することにより内羽根４７ａが開閉され、それに伴って外羽根４７ｂも開閉するようになっている。更に、バリアリング４６は、図６に示すように３群突起部７３と係合するバリア突起部４８を２箇所備える。バリア突起部４８は、バリアリング４６の外周に沿って光軸と平行に像側に延びる部分であって、その像側の端面には、斜面が形成されている。
【００２４】
図１０はバリア突起部４８と３群突起部７３との係合状態を示した図である。（ａ）はワイド状態、（ｂ）は第１の移動筒４１がワイドの位置から角度α３(＞α２)回転した状態、（ｃ）は第１の移動筒４１がワイドの位置から角度α４(＞α３)回転した状態を示す。（ａ）で示すワイド状態からレンズ鏡筒１が沈胴していくと、レンズバリアユニット４４が第３保持部７０に近づき、ワイドから角度α３の（ｂ）で示す位置でバリア突起部４８が３群突起部７３に当接する。３群突起部７３はカメラ本体に対して回転しないので、３群突起部７３の斜面に沿ってバリア突起部４８の斜面が滑り、バリアリング４６がバリアベース４５に対して図６における矢印Ｃの方向に回転を開始する。すると図９に示す内羽根４７ａの移動軸４９ｂがバリアリング４６の溝４６ｂによって押され、バリア羽根が閉状態となる。
【００２５】
次に、レンズ鏡筒１の動作について説明する。レンズ鏡筒１は、撮影状態において、例えば、電源オフ操作がされると沈胴動作を開始する。このとき、各移動筒４１〜４３は、ＣＣＤ台２０に接近する方向にそれぞれ移動する。また、第３保持部７０もＣＣＤ台２０に接近する方向に移動する。このときの各筒体４１，４２，４３の移動量は図３〜図５のヘリコイド構造又はカム構造によって定められる。
【００２６】
第３保持部７０がＣＣＤ台２０に接近し、第１の移動筒４１がワイド状態から角度α１だけ回転すると、図８に示すように、ＣＣＤ台２０に設けられたＣＣＤ台突起部２１が、第３レンズ群保持枠７２に形成された当接部７２ｄと接触し、第３レンズ群保持枠７２は、図７で示すように撮影位置から退避位置に移動（スライド退避）を開始する。このとき、１）第１の移動筒４１のオスヘリコイド４１ａは、固定筒３０のメスヘリコイド３０ａの図３におけるＰ１の位置にある。２）第２の移動筒４２のカムフォロア４２ａは、第１の移動筒４１の第１移動筒カム４１ｂの図４におけるＱ１の位置にある。３）第１保持部５０のカムフォロア５０ａ、第２保持部６０のカムフォロア６０ａ及び第３保持部７０のカムフォロア７０ａは、第２の移動筒４２の第２移動筒カム４２ｄ、４２ｃ及び４２ｂの図５におけるＲ１の位置にある。
【００２７】
図８に示すように、第１の移動筒４１がワイド状態から角度α２だけ回転すると、第３レンズ群保持枠７２の退避位置への移動が完了する。このとき、１）第１の移動筒４１のオスヘリコイド４１ａは、固定筒３０のメスヘリコイド３０ａのＰ２の位置にくる。２）第２の移動筒４２のカムフォロア４２ａは、第１の移動筒４１の第１移動筒カム４１ｂのＱ２の位置にくる。３）第１保持部５０のカムフォロア５０ａ、第２保持部６０のカムフォロア６０ａ及び第３保持部７０のカムフォロア７０ａは、第２の移動筒４２の第２移動筒カム４２ｄ、４２ｃ及び４２ｂのＲ２の位置にくる。
【００２８】
この図３〜図５に示すように、第３レンズ群保持枠７２の退避動作中において、１）第１の移動筒４１のオスヘリコイド４１ａが係合する位置Ｐ１から位置Ｐ２の間におけるメスヘリコイド３０ａ、２）第２の移動筒４２のカムフォロア４２ａが係合する位置Ｑ１から位置Ｑ２の間における第１移動筒カム４１ｂ、及び３）第１保持部５０のカムフォロア５０ａ、第２保持部６０のカムフォロア６０ａ及び第３保持部７０のカムフォロア７０ａが係合する、位置Ｒ１から位置Ｒ２の間における第２移動筒カム４２ｄ、４２ｃ及び４２ｂの、それぞれの筒体の円周に沿った直線と交差する鋭角側の角度は、第３レンズ群保持枠７２の退避動作中において一定である。すなわち位置Ｐ１から位置Ｐ２の間メスヘリコイド３０ａのリードは一定である。位置Ｑ１から位置Ｑ２の間の第１移動筒カム４１ｂの圧力角は一定である。また、位置Ｑ１から位置Ｑ２の間の第２移動筒カム４２ｄ、４２ｃ及び４２ｂの圧力角は一定である。したがって第３レンズ群保持枠７２の退避動作中に、これらの移動筒を駆動する図示しないアクチュエータ等への付加が増加することはない。
【００２９】
レンズ鏡筒１は、第３レンズ群保持枠７２が退避位置に移動した後も、更に第３保持部７０がＣＣＤ台２０に接近する方向に移動する。更にレンズ鏡筒１が沈胴していくと、レンズバリアユニット４４が第３保持部７０に近づいていき、図１０に示すようにワイド状態からレンズ鏡筒１が角度α３回転すると、バリア突起部４８が３群突起部７３に当接する。第３保持部７０は回転しないので、３群突起部７３の斜面に沿ってバリア突起部４８の斜面が滑り、バリアリング４６がバリアベース４５に対して回転を開始する。このとき、１）第１の移動筒４１のオスヘリコイド４１ａは、固定筒３０のメスヘリコイド３０ａの図３におけるＰ３の位置にある。２）第２の移動筒４２のカムフォロア４２ａは第１の移動筒４１のＱ３の位置にある。３）第１保持部５０のカムフォロア５０ａ、第２保持部６０のカムフォロア６０ａ及び第３保持部７０のカムフォロア７０ａは第２の移動筒４２の第２移動筒カム４２ｄ、４２ｃ及び４２ｂのＲ３の位置にある。
【００３０】
第１の移動筒４１が図１０に示すようにワイド状態から角度α４だけ回転すると、バリアリング４６が回転を終了し、内羽根４７ａ及び外羽根４７ｂが図９に示す閉じた状態となる。このとき、１）第１の移動筒４１のオスヘリコイド４１ａは、固定筒３０のメスヘリコイド３０ａの図３におけるＰ４の位置にくる。２）第２の移動筒４２のカムフォロア４２ａは第１の移動筒４１のＱ４の位置にくる。３）第１保持部５０のカムフォロア５０ａ、第２保持部６０のカムフォロア６０ａ及び第３保持部７０のカムフォロア７０ａは、第２の移動筒４２の第２移動筒カム４２ｄ、４２ｃ及び４２ｂのＲ４の位置にくる。
【００３１】
この図３〜図５に示すように、バリアの閉鎖動作中において、１）第１の移動筒４１のオスヘリコイド４１ａが係合する位置Ｐ３から位置Ｐ４の間におけるメスヘリコイド３０ａの筒体の円周に沿った直線と交差する鋭角側の角度、すなわちリードは所定区間一定でその後減少する。また、２）第２の移動筒４２のカムフォロア４２ａが係合する位置Ｑ３から位置Ｑ４の間における第１移動筒カム４１ｂの筒体の円周に沿った直線と交差する鋭角側の角度、すなわち圧力角は一定である。３）第１保持部５０のカムフォロア５０ａ、第２保持部６０のカムフォロア６０ａ及び第３保持部７０のカムフォロア７０ａが係合する位置Ｒ３から位置Ｒ４の間における第２移動筒カム４２ｄ、４２ｃ及び４２ｂの筒体の円周に沿った直線と交差する鋭角側の角度、すなわち圧力角は一定である。したがってバ
リア閉鎖動作中に、これらの筒体を駆動する図示しないアクチュエータ等への付加が増加することはない。
【００３２】
その後、レンズ鏡筒１は、バリアが閉鎖した後も更に沈胴を続ける。その間、１）メスヘリコイド３０ａの筒体の円周に沿った直線と交差する鋭角側の角度、すなわちリードは、位置Ｐ４から沈胴完了までの間一定である。２）第１移動筒カム４１ｂ、及び３）第２移動筒カム４２ｄ、４２ｃ及び４２ｂの、それぞれの筒体の円周に沿った直線と交差する鋭角側の角度、すなわち圧力角は、位置Ｑ４から沈胴完了までの間、初手区間一定でその後減少する。したがって退避動作中にこれらの筒体を駆動する図示しないアクチュエータ等への付加が増加することはない。
【００３３】
なお、このワイド状態から沈胴動作が終了するまで、ＣＣＤ台２０、第３保持部７０、及びレンズバリアユニット４４の互いに関する相対的距離は、沈胴動作が終了するまで一定又は減少する。すなわちワイド状態から沈胴動作が終了するまで、ＣＣＤ台２０、第３保持部７０、及びレンズバリアユニット４４の互いに関する相対的距離が広くなるように移動することはない。
【００３４】
以上説明した実施形態のレンズ鏡筒１によれば、以下の効果を得ることができる。
（１）第３レンズ群保持枠７２の退避位置は、ワイド状態からレンズ鏡筒１が角度α１からα２回転する範囲で行われ、レンズバリアユニット４４の開閉は、レンズ鏡筒１が角度α３から角度α４回転する範囲で行われる。そしてα１＜α２＜α３＜α４である。したがって、これらの動作が同時に起きず、各移動筒体を駆動する図示しないアクチュエータ等への付加が過度に増大することがない。
（２）第３レンズ群保持枠７２の退避動作中において、メスヘリコイド３０ａのリード、第１移動筒カム４１ｂ、及び第２移動筒カム４２ｄ、４２ｃ及び４２ｂの圧力角は一定である。したがって退避動作中に各移動筒を駆動する図示しないアクチュエータ等への付加が増大することがない。
（３）バリアの閉鎖動作中において、メスヘリコイド３０ａのリードは一定又は減少し、第１移動筒カム４１ｂ、及び第２移動筒カム４２ｄ、４２ｃ及び４２ｂの圧力角は一定である。したがってバリアの閉鎖動作中に、各移動筒を駆動する図示しないアクチュエータ等への付加が増大しない。
（４）バリアが閉鎖した後、さらに沈胴する間、メスヘリコイド３０ａのリードは一定であり、第１移動筒カム４１ｂ、及び第２移動筒カム４２ｄ、４２ｃ及び４２ｂの圧力角は一定又は減少する。したがってバリアの閉鎖動作中に、各移動筒を駆動する図示しないアクチュエータ等への付加が増大しない。
（５）レンズ鏡筒１が撮影状態から沈胴状態へ移行する際に、第３レンズ群保持枠７２の退避動作又はバリアの閉鎖動作が開始した後、ＣＣＤ台２０、第３保持部７０及び第１保持部材の間隔は増加しない。したがって、第３レンズ群保持枠７２の退避動作又はバリアの閉鎖動作が開始した後、逆に進むことがなく、これらの動作が安定して行われる。
（６）レンズ鏡筒１の沈胴動作に連動して、第３レンズ群保持枠７２をスライド退避させ、これによって形成されるスペースに第４レンズ群Ｌ４を収容するから、沈胴状態におけるレンズ鏡筒１の光軸方向の全長を短くすることができる。
【００３５】
［変形形態］
本発明は、以上説明した実施形態に限定されることなく、種々の変形や変更が可能であって、それらも本発明の技術的範囲内である。
（１）第３レンズ群保持枠７２の退避動作中において、メスヘリコイド３０ａのリード、第１移動筒カム４１ｂ、及び第２移動筒カム４２ｄ、４２ｃ及び４２ｂの圧力角を一定又としたがこれに限定されない。例えば、アクチュエータ等への付加が増大しないようにリード又は圧力角が減少するようにしてもよい。
（２）バリアの閉鎖動作中において、メスヘリコイド３０ａのリードは一定又は減少し、第１移動筒カム４１ｂ、及び第２移動筒カム４２ｄ、４２ｃ及び４２ｂの圧力角は一定としたが、これに限定されない。例えば、メスヘリコイド３０ａのリード、第１移動筒カム４１ｂ、及び第２移動筒カム４２ｄ及び４２ｃの圧力角は減少し続けてもよい。
（３）バリアが閉鎖した後、さらに沈胴する間、メスヘリコイド３０ａのリードは一定であり、第１移動筒カム４１ｂ、及び第２移動筒カム４２ｄ、４２ｃ及び４２ｂの圧力角は一定又は減少したが、これに限定されない。例えば、メスヘリコイド３０ａのリード及び、第１移動筒カム４１ｂ、第２移動筒カム４２ｄ、４２ｃ及び４２ｂの圧力角は減少してもよい。
（４）本実施形態のレンズ鏡筒は、第３レンズ群Ｌ３がスライド退避する構成であったが、これに限らず、他のレンズ群を退避させる構成であってもよい。
（５）本実施形態のレンズ鏡筒は、バリアを駆動する連動部を第３保持部７０に設けたが、これに限らず、部材にバリアを駆動する連動部を設けてもよい。
【図面の簡単な説明】
【００３６】
【図１】本発明の実施形態のレンズ鏡筒の撮影状態を示す断面図である。
【図２】本実施形態のレンズ鏡筒の沈胴状態を示す断面図である。
【図３】固定筒の内面を示した図である。
【図４】第１の移動筒の内面を示した図である。
【図５】第２の移動筒の内面を示した図である。
【図６】ＣＣＤ台、第３保持部、及びレンズバリアユニットの分解斜視図である。
【図７】被写体側から見た、（ａ）第３レンズ群Ｌ３が撮影状態における第３保持部、（ｂ）第３レンズ群Ｌ３が退避位置における第３保持部７０を示した図である。
【図８】撮影状態から沈胴状態への移動時における当接部とＣＣＤ台突起部との摺動状態を示した図である。
【図９】レンズバリアユニットを像側から見た図である。
【図１０】バリア突起部と３群突起部との係合状態を示した図である。
【符号の説明】
【００３７】
１：レンズ鏡筒、２０：固定部材、２１：ＣＣＤ台突起部、３０ａ：メスヘリコイド、４１ａ：オスヘリコイド、４２ａ：カムフォロア、４２ｂ：第２移動筒カム、４２ｃ：第２移動筒カム、４２ｃ：第２移動筒カム、４４：レンズバリア、４５：レンズバリア保持枠、４８：バリア突起部、５０：第１保持部、５０ａ：カムフォロア、６０：第２保持部、６０ａ：カムフォロア、７０：第３保持部、７２ｄ：当接部、７３：３群突起部、１：、Ｌ１：第１レンズ群、Ｌ２：第２レンズ群、Ｌ３：第３レンズ群、Ｌ４：第４レンズ群
【図１】
2008242396.tif 000003
【図２】
2008242396.tif 000004
【図３】
2008242396.tif 000005
【図４】
2008242396.tif 000006
【図５】
2008242396.tif 000007
【図６】
2008242396.tif 000008
【図７】
2008242396.tif 000009
【図８】
2008242396.tif 000010
【図９】
2008242396.tif 000011
【図１０】
2008242396.tif 000012